(57)【要約】【課題】斜め投写にて投写光がスクリーン上に照射される場合にもホットスポットの発生を効果的に抑制できる投写型表示装置を提供する。【解決手段】投写型表示装置（プロジェクタ１０）の設置状態と被投写面のタイプに応じて、投写画面上における投写光の光量を調整する。具体的には、投写レンズ部１００ａの光軸に近いほど投写光の光量を元の光量から低減させる。また、設置状態が机上設置である場合と、被投写面のタイプが反射型である場合は、ホットスポットが生じやすいため、光量の低減率を高める。これにより、ホットスポットの発生を効果的に抑制することができる。【選択図】図６
2008182480.tif 000002
【特許請求の範囲】
【請求項１】
表示素子上の画像を被投写面上に拡大投写する投写型表示装置において、
当該投写型表示装置の設置状態を判別する設置状態判別部と、
前記設置状態判別部による判別結果に基づいて投写画面上における投写光の光量を制御する光量制御部とを有する、
ことを特徴とする投写型表示装置。
【請求項２】
請求項１に記載の投写型表示装置において、
前記設置状態を選択するためのメニューを表示するための設置メニュー表示部と、表示された設置状態選択メニューから当該投写型表示装置の設置状態を選択するための設置状態選択部をさらに備え、
前記設置状態判別部は、前記設置状態選択部による選択結果に応じて当該投写型表示装置の設置状態を判別する、
ことを特徴とする投写型表示装置。
【請求項３】
請求項１または２に記載の投写型表示装置において、
前記設置状態判別部は、当該投写型表示装置の傾斜状態に応じた検出信号を出力する傾斜検出器を備える、
ことを特徴とする投写型表示装置。
【請求項４】
請求項１ないし３の何れか一項に記載の投写型表示装置において、
被投写面の状態を判別する投写面判別部をさらに備え、
前記光量制御部は、前記設置状態判別部による判別結果と前記投写面判別部による判別結果に基づいて前記投写画面上における前記投写光の光量を制御する、
ことを特徴とする投写型表示装置。
【請求項５】
請求項４に記載の投写型表示装置において、
前記被投写面の状態を選択するためのメニューを表示するための投写面メニュー表示部と表示された投写面選択メニューから前記被投写型面の状態を選択するための投写面選択部をさらに備え、
前記投写面判別部は、前記投写面選択部による選択結果に応じて前記被投写面の状態を判別する、
ことを特徴とする投写型表示装置。
【請求項６】
請求項４または５に記載の投写型表示装置において、
前記投写面判別部は、前記投写面内に設定された複数の領域における反射光の光量を検出する光量検出器を備え、前記複数の領域における反射光の光量に基づいて前記被投写面の状態を判別する、
ことを特徴とする投写型表示装置。
【請求項７】
請求項１ないし６の何れか一項において、
前記光量制御部は、入力映像信号の信号レベルを調整することにより、前記投写画面上における前記投写光の光量を制御する、
ことを特徴とする投写型表示装置。
【請求項８】
請求項１ないし６の何れか一項において、
前記光量制御部は、前記投写光の光量を変化させるための光学素子を備え、該光学素子を制御することにより、前記投写画面上における前記投写光の光量を制御する、
ことを特徴とする投写型表示装置。
【発明の詳細な説明】
【技術分野】
【０００１】
本発明は、投写型表示装置に関し、特に、斜め投写型の投写型表示装置に用いて好適なものである。
【背景技術】
【０００２】
表示素子（液晶パネル等）上の画像を被投写面（スクリーン等）上に拡大投写する投写型表示装置（以下、「プロジェクタ」という）が商品化され広く普及している。この種のプロジェクタでは、スクリーンとプロジェクタ本体の距離を短くするために、投写光学系の広角化とともに、投写光の進行方向を投写光学系の光軸に対して傾斜させる、斜め投写の構成をとるプロジェクタが提案されている。
【０００３】
たとえば、特許文献１に記載の発明では、投写光学系として大画角の広角レンズが用いられ、表示素子とスクリーンを投写光学系の光軸に対して互いに相反する方向にシフトさせることにより、投写距離の短縮が実現されている。
【０００４】
また、特許文献２に記載の発明では、投写光学系として屈折光学系と反射面が用いることにより、投写距離の短縮が実現されている。
【特許文献１】特開平５−１００３１２号公報
【特許文献２】特開２００４−２５８６２０号公報
【発明の開示】
【発明が解決しようとする課題】
【０００５】
しかしながら、広角で斜め投写の構成をとるプロジェクタでは、スクリーン面法線に対する投写光の入射角度が大きくなるため、スクリーン素材や観察方向によっては、投写領域中に眩しく見える領域（ホットスポット）が発生する場合がある。
【０００６】
図１４は、スクリーン素材と投写光の反射方向の関係を模式的に示す図である。同図（ａ）、（ｂ）、（ｃ）は、それぞれ、回帰型、反射型、拡散型のスクリーンに斜め投写にて投写光を照射したときの反射光の状態を示す図である。
【０００７】
図１５は、机上設置されたプロジェクタからデスク面（反射型のスクリーン面に相当）に投写光を照射したときの状態を模式的に示す図である。この場合、図中に示す位置から観察者が投写画像を観察すると、同図中、白抜きで示す領域に、ホットスポットが生じる。
【０００８】
本発明は、このような問題を解消するためになされたものであり、斜め投写にて投写光がスクリーン上に照射される場合にもホットスポットの発生を効果的に抑制できる投写型表示装置を提供することを課題とする。
【課題を解決するための手段】
【０００９】
上記課題に鑑み本発明は、以下の特徴を有する。
【００１０】
請求項１の発明は、表示素子上の画像を被投写面上に拡大投写する投写型表示装置において、当該投写型表示装置の設置状態を判別する設置状態判別部と、前記設置状態判別部による判別結果に基づいて投写画面上における投写光の光量を制御する光量制御部とを有することを特徴とする。
【００１１】
この発明によれば、投写型表示装置の設置状態に応じて、投写画面上における投写光の光量が調整される。この際、投写画面上における投写光の光量は、ホットスポットが抑制されるよう調整される。よって、この発明によれば、投写画面上におけるホットスポットの発生を効果的に抑制することができる。
【００１２】
請求項２の発明は、請求項１に記載の投写型表示装置において、前記設置状態を選択するためのメニューを表示するための設置メニュー表示部と、表示された設置状態選択メニューから当該投写型表示装置の設置状態を選択するための設置状態選択部をさらに備え、前記設置状態判別部は、前記設置状態選択部による選択結果に応じて当該投写型表示装置の設置状態を判別することを特徴とする。
【００１３】
この発明によれば、メニュー表示された項目を適宜選択することにより投写型表示装置の設置状態を入力できる。よって、設置状態設定時の作業性を向上させることができる。
【００１４】
請求項３の発明は、請求項１または２に記載の投写型表示装置において、前記設置状態判別部は、当該投写型表示装置の傾斜状態に応じた検出信号を出力する傾斜検出器を備えることを特徴とする。
【００１５】
この発明によれば、傾斜検出器から出力される検出信号をもとに、投写型表示装置の設置状態が自動判別され得る。よって、設置状態を手入力する手間を省くことができ、投写型表示装置の操作性をさらに向上させることができる。
【００１６】
請求項４の発明は、請求項１ないし３の何れか一項に記載の投写型表示装置において、被投写面の状態を判別する投写面判別部をさらに備え、前記光量制御部は、前記設置状態判別部による判別結果と前記投写面判別部による判別結果に基づいて前記投写画面上における前記投写光の光量を制御することを特徴とする。
【００１７】
この発明によれば、投写型表示装置の設置状態のみならず、被投写面の状態をさらに考慮して投写画面上における投写光の光量が調整されるため、ホットスポットの発生をさらに効果的に抑制することができる。
【００１８】
請求項５の発明は、請求項４に記載の投写型表示装置において、前記被投写面の状態を選択するためのメニューを表示するための投写面メニュー表示部と表示された投写面選択メニューから前記被投写型面の状態を選択するための投写面選択部をさらに備え、前記投写面判別部は、前記投写面選択部による選択結果に応じて前記被投写面の状態を判別することを特徴とする。
【００１９】
この発明によれば、メニュー表示された項目を適宜選択することにより被投写面の状態を入力できる。よって、被投写面の状態設定時における作業性を向上させることができる。
【００２０】
請求項６の発明は、請求項４または５に記載の投写型表示装置において、前記投写面判別部は、前記投写面内に設定された複数の領域における反射光の光量を検出する光量検出器を備え、前記複数の領域における反射光の光量に基づいて前記被投写面の状態を判別することを特徴とする。
【００２１】
この発明によれば、光量検出器から出力される検出信号をもとに、被投写面の状態が自動判別され得る。よって、被投写面の状態を手入力する手間を省くことができ、投写型表示装置の操作性をさらに向上させることができる。
【００２２】
請求項７の発明は、請求項１ないし６の何れか一項において、前記光量制御部は、入力映像信号の信号レベルを調整することにより、前記投写画面上における前記投写光の光量を制御することを特徴とする。
【００２３】
この発明によれば、入力映像信号の信号レベルを調整することにより投写画面上における投写光の光量が制御されるため、別途、投写画面上における投写光の光量を調整するための光学素子を光学系内に配する必要がない。よって、本発明によれば、部品点数およびコストの削減を図りながら、円滑に、ホットスポットの発生を抑制できる。
【００２４】
請求項８の発明は、請求項１ないし６の何れか一項において、前記光量制御部は、前記投写光の光量に変化させるための光学素子を備え、該光学素子を制御することにより、前記投写画面上における前記投写光の光量を制御することを特徴とする。
【００２５】
この発明によれば、光学素子を制御することにより、投写画面上における投写光の光量が調整される。
【００２６】
なお、上記各請求項に記載の「設置状態判別部」は、以下の実施形態およびその変更例における設置状態判別部３０２、３０２ｂ、検出信号生成部３０２ａおよび図７に示す検出器４００が対応する。また、上記各請求項に記載の「光量制御部」は、以下の実施形態およびその変更例における光量制御部３０５、光量制御素子ドライバ３１０および光量制御素子２２１、２２２、２２３が対応する。
【００２７】
また、上記各請求項に記載の「設置メニュー表示部」および「投写面メニュー表示部」は、以下の実施形態およびその変更例における固定画像表示部３０７が対応する。また、上記各請求項に記載の「設置状態選択部」および「投写面選択部」は、以下の実施形態およびその変更例における操作部３０１が対応する。また、上記各請求項に記載の「傾斜検出器」は、図７に示す検出器４００が対応する。
【００２８】
また、上記各請求項に記載の「光量検出器」は、以下の実施形態およびその変更例におけるＣＣＤカメラ５００が対応する。また、上記各請求項に記載の「光学素子」は、以下の実施形態およびその変更例における光量制御素子２２１、２２２、２２３が対応する。
【発明の効果】
【００２９】
以上のとおり本発明によれば、斜め投写にて投写光がスクリーン上に照射される場合にもホットスポットの発生を効果的に抑制できる投写型表示装置を提供することができる。
【００３０】
本発明の効果ないし意義は、以下に示す実施の形態の説明により更に明らかとなろう。ただし、以下の実施の形態は、あくまでも、本発明を実施する際の一つの例示であって、本発明は、以下の実施の形態に記載されたものに何ら制限されるものではない。
【発明を実施するための最良の形態】
【００３１】
以下、本発明の実施の形態につき図面を参照して説明する。本実施の形態は、斜め投写型のプロジェクタに本発明を適用したものである。
【００３２】
図１に、実施の形態に係るプロジェクタ１０の構成を示す。同図（ａ）および（ｂ）は、それぞれ、プロジェクタ１０の正面図および左側面図である。
【００３３】
図において、１１および１２は、それぞれ、プロジェクタ１０の外形を形成する上部筐体および下部筐体である。上部筐体１１には、投写光学系１００を構成する投写レンズ部１００ａとミラー１００ｂが収容されている。また、上部筐体１１の前面には、ミラー１００ｂにて反射された光を外部に導くための投写窓１１ａが配されている。
【００３４】
投写レンズ部１００ａは、投写画像を被投写面上に結像させるためのレンズ群と、これらレンズ群の一部を光軸方向に変位させて投写画像のズーム状態およびフォーカス状態を調整するためのアクチュエータを備えている。ミラー１００ｂは、光入射面が凹曲面となっており、投写レンズ部１００ａからの光を反射して、投写画像を被照射面上に結像させる。このようにミラー１００ｂを投写レンズ部１００ａの後段に配することにより、投写窓１１ａの位置と被投写面との距離が小さい場合にも、適正に、投写像を被投写面上に結像させることができる。
【００３５】
下部筐体１２には、投写レンズ部１００ａに投写光を入射させるための表示光学系２００と、表示光学系２００内に配された表示素子を駆動制御するための回路系３００が収容されている。
【００３６】
図２は、表示光学系２００の構成を示す図である。なお、同図には、便宜上、投写光学系１００が併せて示されている。
【００３７】
図示の如く、表示光学系２００は、光源２０１と、照明光学ユニット２０２と、ダイクロックミラー２０３、２０４と、反射ミラー２０５、２０６、２０７と、表示素子２０８、２０９、２１０と、ダイクロプリズム２１１から構成されている。
【００３８】
光源２０１から出射された光は、照明光学ユニット２０２によって均一性等が調整され良好な照明光に変換される。このように調整された照明光は、２つのダイクロイックミラー２０３、２０４によって、Ｒ（Ｒｅｄ）、Ｇ（Ｇｒｅｅｎ）、Ｂ（Ｂｌｕｅ）の光に分離される。具体的には、光学ユニット２０２からの光のうち青色光のみがダイクロイックミラー２０３を透過し、これにより青色光が分離される。また、ダイクロイックミラー２０３によって反射された光のうち赤色光のみがダイクロイックミラー２０４を透過し、緑色光はダイクロイックミラー２０４によって反射され、これにより赤色光と緑色光が分離される。
【００３９】
このように分離された各色の光は、適宜、反射ミラー２０５、２０６、２０７によって反射され、それぞれ、各色に対応した表示素子（液晶パネル）２０８、２０９、２１０に入射する。ここで、表示素子２０８、２０９、２１０は、それぞれ、赤色用、緑色用、青色用の表示素子である。それぞれの表示素子２０８、２０９、２１０によって変調された各色の光は、ダイクロイックプリズム２１１で合成され、投写レンズ部１００ａに入射される。入射された光は、投写レンズ部１００ａとミラー１００ｂを介して被投写面上に投写される。
【００４０】
図３および図４は、プロジェクタ１０の使用状態と投写領域の関係を示す図である。
【００４１】
図３は、プロジェクタ１０を机上設置にて使用する場合の投写領域の状態を示す図である。この場合、プロジェクタ１０から出射された投写光は、デスク面２０上の投写領域２０ａに照射される。
【００４２】
図４（ａ）（ｂ）は、それぞれ、プロジェクタ１０を天吊設置および床置設置にて使用する場合の投写領域の状態を示す図である。この場合、プロジェクタ１０から出射された投写光は、スクリーン３０上の投写領域３０ａに照射される。
【００４３】
図５は、回路系４００のうち、ホットスポットの抑制に関連する部分の構成を示す図である。
【００４４】
図において、操作部３０１は、各種設定を行うための操作ボタンを備えている。なお、操作部３０１の操作ボタンは、プロジェクタ本体に配される形態の他、リモートコントローラ等の遠隔操作手段に配されていても良い。
【００４５】
設置状態判別部３０２は、操作部３０１からの入力に応じて、プロジェクタ１０の設置状態（机上設置／天吊設置／床置設置）を判別する。投写面判別部３０３は、操作部３０１からの入力に応じて、被投写面のタイプ（回帰型／反射型／拡散型）を判別する。Ｉ／Ｆ部３０４は、映像信号を入力するためのインタフェースである。
【００４６】
光量制御部３０５は、Ｉ／Ｆ部３０４を介して入力映像信号が入力されるとともに、設置状態判別部３０２および投写面判別部３０３の判別結果に応じて、後述の如く、入力映像信号の光量を補正し、補正後の映像信号（補正映像信号）を表示素子ドライバ３０６に供給する。表示素子ドライバ３０６は、補正映像信号に応じて表示素子２０８、２０９、２１０を駆動する。固定画像表示部３０７は、操作部３０１からの入力に応じて表示ドライバ３０６にメニュー画面等の各種固定画像用の映像信号を出力する。
【００４７】
図６は、光量制御部３０５における処理を説明する図である。
【００４８】
同図（ａ）は、光量調整時の設定モードを示す図である。図示の如く、本実施の形態では、プロジェクタの設置状態と被投写面のタイプに応じて、３つの光量調整モード（補正なし／補正小／補正大）の何れかが選択される。
【００４９】
より詳細には、プロジェクタ１０の設置状態が床置設置である場合、被投写面のタイプが回帰型であれば光量調整モードは“補正小”とされ、被投写面のタイプが反射型または拡散型であれば光量調整モードは共に“補正なし”とされる。また、プロジェクタ１０の設置状態が天吊設置である場合、被投写面のタイプが反射型であれば光量調整モードは“補正小”とされ、被投写面のタイプが回帰型または拡散型であれば光量調整モードは共に“補正なし”とされる。さらに、プロジェクタ１０の設置状態が机上設置である場合、被投写面のタイプが反射型であれば光量調整モードは“補正大”とされ、被投写面のタイプが回帰型または拡散型であれば光量調整モードは共に“補正小”とされる。
【００５０】
図６（ｂ）（ｃ）は、これら３つの光量調整モード（補正なし／補正小／補正大）における光量の調整方法を説明する図である。
【００５１】
同図（ｂ）に示す如く、本実施の形態では、被投写面上に領域Ａ、Ｂ、Ｃの３つの領域が割り当てられる。このうち、領域Ａは、投写レンズ部１００ａの光軸から一定距離の範囲内にある領域であり、領域Ｂは、領域Ａの外側で且つ投写レンズ部１００ａの光軸から一定距離の範囲内にある領域である。領域Ｃは、領域Ｂのさらに外側の領域である。
【００５２】
光量制御部３０５は、これら領域Ａ、Ｂ、Ｃにおける投写光の光量が、入力映像信号を補正せずにそのまま投写する場合に比べ、図６（ｃ）に示すような比率にて低減されるよう、入力映像信号の信号レベルを補正し、補正映像信号を生成する。なお、同図において、横軸は投写レンズ部１００ａの光軸からの距離、縦軸は入力映像信号に応じた画像をそのまま投写したときの光量に対する、補正映像信号に応じた画像を投写したときの光量の比率（光量補正率）である。
【００５３】
同図に示す如く、本実施の形態では、光量調整モードが“補正小”または“補正大”である場合、被投写面上における投写光の光量が投写レンズ部１００ａの光軸からの距離に応じてそれぞれ図中の破線または一点鎖線の光量補正率にて低減されるよう、入力映像信号の信号レベルが補正され、補正映像信号が生成される。なお、光量調整モードが“補正なし”である場合には、入力映像信号の信号レベルは補正されず、入力映像信号がそのまま補正映像信号とされる。
【００５４】
次に、本実施の形態の動作について説明する。
【００５５】
プロジェクタ１０が所定の設置状態（机上設置／天吊設置／床置設置）で設置された後、図５中の操作部３０１にあるメニューボタンが操作されると、固定画像表示部３０７から表示素子ドライバ３０６にメニュー画面用の映像信号が入力され、被投写面上にメニュー画面が表示される。このメニュー画面には、「設置状態設定」と「スクリーンタイプ設定」の項目が含まれており、このうち、「設置状態設定」が操作部３０１を介して選択されると、画面上に、“机上設置”、“天吊設置”および“床置設置”の３つの選択項目が表示される。これら選択項目のうち、現在のプロジェクタ１０の設置状態に対応する項目が操作部３０１を介して選択されると、これが設置状態判別部３０２によって判別され、判別結果が光量制御部３０５に出力される。
【００５６】
その後、上記メニュー画面に戻り、「スクリーンタイプ設定」が選択されると、画面上に、“回帰型”、“反射型”および“拡散型”の３つの選択項目が表示される。これら選択項目のうち、現在の被投写面のタイプに対応する項目が操作部３０１を介して選択されると、これが投写面判別部３０３によって判別され、判別結果が光量制御部３０５に出力される。
【００５７】
このようにして、現在のプロジェクタ１０の設置状態と被投写面のタイプが判別されると、光量制御部３０５は、これら判別結果に応じた光量調整モードを図６（ａ）の表をもとに選択する。そして、Ｉ／Ｆ部３０４を介して映像信号が入力されると、選択した光量調整モードに応じて上記の如く入力映像信号を補正し、補正後の映像信号（補正映像信号）を表示素子ドライバ３０６に供給する。
【００５８】
補正素子ドライバ３０６は、入力された補正映像信号をもとに、表示素子２０８、２０９、２１０を駆動する。これにより、投写光が補正映像信号をもとに変調され、現在の「設置状態」と「スクリーンタイプ」に応じて光量が調整された投写画像が、被投写面上に表示される。
【００５９】
本実施の形態によれば、「設置状態」と「スクリーンタイプ」に応じて投写光の光量が調整されるため、ホットスポットの発生を円滑に抑制することができる。より詳細には、図６（ｃ）に示す如く、投写レンズ部１００ａの光軸に近い領域ほど光量の低減率を高めることにより、ホットスポットの発生を効果的に抑制することができる。さらには、図６（ａ）に示す如く、観察者がプロジェクタから比較的近い位置に位置する机上設置にてプロジェクタ１０が設置された場合に、他の設置状態に比べ、光量の低減率をさらに高めるようにしたことにより、ホットスポットが発生し易い机上設置の場合にも、ホットスポットの発生を効果的に抑制することができる。このように、本実施の形態によれば、プロジェクタ１０の設置状態と被投写面のタイプに応じて効果的にホットスポットの発生を抑制することができる。
【００６０】
なお、上記実施の形態では、プロジェクタ１０の設置状態と被投写面のタイプの両方に基づいて投写光の光量を調整するようにしたが、プロジェクタ１０の設置状態と被投写面のタイプの何れか一方に基づいて投写光の光量を調整するようにしても良い。たとえば、プロジェクタ１０の設置状態のみに基づいて投写光の光量を調整する場合には、床置設置、天吊設置および机上設置の場合に、それぞれ、光量調整モードを“補正なし”、“補正小”および“補正大”に設定する。また、被投写面のタイプのみに基づいて投写光の光量を調整する場合には、たとえば、回帰型、反射型および拡散型の場合に、それぞれ、光量調整モードを“補正小”、“補正大”および“補正なし”に設定する。
【００６１】
また、上記実施の形態では、Ｒ用、Ｇ用、Ｂ用の全ての表示素子に対し同じ制御が行われているが、たとえばスクリーンの反射特性によってスクリーン上における各色の反射強度が異なる場合は、図６（ｃ）に示す光量補正率を色毎に個別に準備し、対応する光量補正率に応じて各色の表示素子を個別に制御するようにしても良い。
【００６２】
なお、図６（ｃ）に示す光量補正率は一例であって、これ以外の光量補正率を適宜適用することも可能である。光量補正率は、そのプロジェクタにおいてホットスポットを最も効果的に抑制できるものに設定すれば良い。
【００６３】
また、上記実施の形態では、「設置状態」と「スクリーンタイプ」を選択するためのメニューを被投写面上に表示するようにしたが、これに替えて、プロジェクタ本体のディスプレイ部にこれらのメニューを表示させ、この表示をもとに、現在の「設置状態」と「スクリーンタイプ」を選択設定するようにしても良い。
【００６４】
この他、本発明の実施形態は、以下のように変更され得る。
【００６５】
＜変更例１＞
上記実施の形態では、操作部３０１を介してプロジェクタ１０の設置状態が手動で設定されたが、本変更例では、プロジェクタ１０の設置状態が自動的に検出される。
【００６６】
図７は、プロジェクタ１０の設置状態を検出する検出器４００の構成例である。
【００６７】
この構成例では、フレーム４０１に円弧状のレール４０２、４０３が装着されている。これらレール４０２、４０３は絶縁体で形成されており、それぞれの両端部に電極４０２ａ、４０２ｂおよび４０３ａ、４０３ｂが配されている。これらレール４０２、４０３に沿って移動できるよう、支持体４０４を介して導電性の剛球４０５がフレーム４０１に支持されている。
【００６８】
電極４０２ａ、４０２ｂには、回路系３００側に配された検出信号生成部３０２ａから電位＋Ｖが印加されている。電極４０３ａ、４０３ｂは、抵抗４０６ａ、４０６ｂを介してアースされており、また、引き出し線を介して検出信号生成部３０２ａの入力端子ＩＮ２、ＩＮ１に接続されている。
【００６９】
検出信号生成部３０２ａは、入力端子ＩＮ１、ＩＮ２の電位に応じた検出信号を出力する。同図の状態では、入力端子ＩＮ１、ＩＮ２の電位は共にＬｏｗであるため、検出信号生成部３０２ａは、“００”の信号を出力する。同図の状態から検出器４００が時計方向に回転し、剛球４０５が電極４０２ａ、４０３ａに接触すると、剛球４０５を介して電位＋Ｖが抵抗４０６ａに導通され、これにより、入力端子ＩＮ２の電位が、抵抗４０６ａに応じた電位（Ｈｉｇｈ）に立ち上がる。この場合、検出信号生成部３０２ａは、“０１”の信号を出力する。また、同図の状態から検出器４００が反時計方向に回転し、剛球４０５が電極４０２ｂ、４０３ｂに接触すると、剛球４０５を介して電位＋Ｖが抵抗４０６ｂに導通され、これにより、入力端子ＩＮ１の電位が、抵抗４０６ｂに応じた電位（Ｈｉｇｈ）に立ち上がる。この場合、検出信号生成部３０２ａは、“１０”の信号を出力する。
【００７０】
図７に示す検出器４００は、プロジェクタ１０の下部筐体１２内に、図８に示すように収容されている。したがって、プロジェクタ１０が同図（ａ）のように机上設置されると、剛球４０５は図７に示す位置に位置づけられ、検出信号生成部３０２ａからは、“００”の信号が出力される。また、プロジェクタ１０が同図（ｂ）のように天吊設置されると、検出器４００は図７に示す状態から時計方向に旋回し、剛球４０５は電極４０２ａ、４０３ａに接触する位置に位置づけられる。このため、検出信号生成部３０２ａからは、“０１”の信号が出力される。また、プロジェクタ１０が同図（ｃ）のように床置設置されると、検出器４００は図７に示す状態から反時計方向に旋回し、剛球４０５は電極４０２ｂ、４０３ｂに接触する位置に位置づけられる。このため、検出信号生成部３０２ａからは、“１０”の信号が出力される。
【００７１】
したがって、検出信号生成部３０２ａから出力される信号をもとに、図７（ｂ）に示す如く、プロジェクタ１０の設置状態が検出され得る。なお、検出器４００の構成上、剛球４０５が電極４０２ａ、４０３ａと、電極４０２ｂ、４０３ｂの両方に同時に接触することはあり得ないため、検出信号生成部３０２ａから“１１”の信号が検出された場合には、プロジェクタ１０の設置状態は検出不能（エラー）とされる。
【００７２】
図９は、検出器４００を用いる場合の回路構成を示す図である。この構成例では、上記図５の場合に比べ、検出信号生成部３０２ａが追加され、設置状態判別部３０２ｂにおける処理が変更されている。
【００７３】
検出信号生成部３０２ａは、上記図７および図８を参照して説明した如く、剛球４０５の位置に応じた検出信号を出力する。設置状態判別部３０２ｂは、検出信号生成部３０２ａからの信号をもとに、図７（ｂ）の表に従って、プロジェクタ１０の設置状態を判別する。その他の動作は、上記実施の形態と同様である。
【００７４】
本変更例１によれば、上記実施の形態と同様の効果が奏される。加えて、本実施の形態によれば、プロジェクタ１０の設置状態が自動検出されるため、上記実施の形態に比べ、操作性を向上させることができる。なお、検出器は、図７の構成以外に種々の変更が可能である。
【００７５】
＜変更例２＞
上記実施の形態では、入力映像信号の光量を調整することにより投写光の光量を調整するようにしたが、本変更例では、表示素子２０８、２０９、２１０とは別に光量調整用の素子を配置し、この素子を制御することにより投写光の光量が調整される。
【００７６】
図１０に、本変更例における表示光学系２００の構成を示す。ここでは、表示素子２０８、２０９、２１０の前段に、それぞれ、光量制御素子２２１、２２２、２２３が配されている。ここで、光量制御素子２２１、２２２、２２３は、同図（ｂ）に示すように、水平、垂直方向に分割された複数の領域ごとに透過率を制御することが可能な素子である（たとええば、液晶パネル）。なお、分割された各領域は、同図に示すように、図６（ｂ）に示す領域Ａ、Ｂ、Ｃに対応している。
【００７７】
図１１に、本変更例を用いる場合の回路構成を示す。この構成例では、上記図５の場合に比べ、光量制御素子ドライバ３１０が追加され、設置状態判別部３０２が省略されている。
【００７８】
光量制御素子ドライバ３１０は、設置状態判別部３０２および投写面判別部３０３における判別結果に応じて、光量制御素子２２１、２２２、２２３を制御する。具体的には、設置状態判別部３０２および投写面判別部３０３における判別結果をもとに、図６（ａ）の表に従って、光量調整モードが選択される。そして、領域Ａ、Ｂ、Ｃの光量が、選択された光量調整モードに応じた光量補正率（図６（ｃ）参照）にて低減するよう、光量制御素子２２１、２２２、２２３の各領域の透過率が制御される。
【００７９】
なお、光量制御素子２２１、２２２、２２３は、 Ｒ用、Ｇ用、Ｂ用の全てについて同じ制御がなされても良いが、スクリーンの反射特性によってスクリーン上における各色の反射強度が異なる場合は、上記実施の形態における場合と同様、色毎に透過率制御レベルを異ならせても良い。また、図１０（ｂ）では、分割領域が８×６となっているが、他の分割数でも可能である。なお、色毎に透過率制御を行わない場合には、ダイクロイックプリズム２１１と投写レンズ部１００ａの間に各色共通の光量制御素子を配置し、ダイクロイックプリズム２１１によって合成された後の光に対して光量調整を行うようにしても良い。
【００８０】
＜変更例３＞
上記実施の形態では、操作部３０１を介して被投写面のタイプが手動で設定されたが、本変更例では、被投写面のタイプが自動的に検出される。
【００８１】
図１２に、本変更例の構成を示す。同図（ａ）に示す如く、本変更例では、プロジェクタ１０の投写窓１１ａ近傍に、低解像度のモノクロＣＣＤカメラ５００が配置されている。このＣＣＤカメラ５００は、投写領域３０のうち、少なくとも、図中の領域Ａ、Ｂを含む領域を撮影可能である。
【００８２】
図１３に、本変更例を用いる場合の回路構成を示す。この構成例では、上記図５の場合に比べ、信号解析部３０３ａが追加され、投写面判別部３０３ｂの処理が変更されている。
【００８３】
プロジェクタ１０を設置した後、操作部３０１を介してイニシャライズ機能が選択されると、パターン画像用の映像信号が固定画像表示部３０７から表示素子ドライバ３０６に出力され、図１２（ｂ）に示すパターン画像がスクリーン３０上に表示される。同図中、白抜きの丸の部分は、図１２（ａ）の領域Ａ、Ｂに対応している。
【００８４】
この表示の後、信号解析部３０３ａは、ＣＣＤカメラ５００からの撮像信号を解析し、これら領域Ａ、Ｂにおける光量差と光量平均値を取得する。取得された光量差と光量平均値は、投写面判別部３０３ｂに出力される。投写面判別部３０３ｂは、これら光量差と光量平均値がそれぞれ所定の閾値よりも大きいかを判定し、その判定結果をもとに、図１２（ｃ）の表に従って、被投写面のタイプを判別する。具体的には、光量差と光量平均値がともにそれぞれの閾値よりも小さければ、被投写面は“拡散型”であると判別し、光量差が閾値よりも小さく光量平均値が閾値以上であれば、被投写面は“回帰型”であると判別する。また、光量差が閾値以上であれば、被投写面は“反射型”であると判別する。
【００８５】
本変更例３によれば、上記実施の形態と同様の効果が奏される。加えて、本実施の形態によれば、被投写面のタイプが自動検出されるため、上記実施の形態に比べ、操作性を向上させることができる。なお、本変更例では、モノクロＣＣＤカメラ５００を用いて領域Ａ、Ｂの光量を検出するようにしたが、モノクロＣＣＤカメラに替えて複数のフォトセンサを用いるようにしても良い。
【００８６】
以上、本発明の実施形態およびその変更例について説明したが、本発明は、これらに制限されるものではない。また、本発明の実施の形態は、特許請求の範囲に示された技術的思想の範囲内において、適宜、種々の変更が可能である。
【図面の簡単な説明】
【００８７】
【図１】実施の形態に係るプロジェクタの構成を示す図
【図２】実施の形態に係るプロジェクタの光学系を示す図
【図３】実施の形態に係るプロジェクタの設置例を示す図
【図４】実施の形態に係るプロジェクタの設置例を示す図
【図５】実施の形態に係るプロジェクタの回路系を示す図
【図６】実施の形態に係る光量調整方法を説明する図
【図７】実施の形態の変更例１に係る検出器の構成を示す図
【図８】実施の形態の変更例１に係る検出器の動作を説明する図
【図９】実施の形態の変更例１に係る回路系を示す図
【図１０】実施の形態の変更例２に係る光学系を示す図
【図１１】実施の形態の変更例２に係る回路系を示す図
【図１２】実施の形態の変更例３に係るプロジェクタの構成を示す図
【図１３】実施の形態の変更例３に係る回路系を示す図
【図１４】スクリーンのタイプを説明する図
【図１５】斜め投写を用いた場合の問題を説明する図
【符号の説明】
【００８８】
１０  …プロジェクタ
１００  …投写光学系
２００  …表示光学系
２０８、２０９、２１０…表示素子
２２１、２２２、２２３…光量制限素子
３００  …回路系
３０１  …操作部
３０２  …設置状態判別部
３０２ａ…検出信号生成部
３０３ｂ…設置状態判別部
３０３  …投写面判別部
３０５  …光量制御部
３０７  …固定画像表示部
３１０  …光量制御素子ドライバ
４００  …検出器
５００  …ＣＣＤカメラ
【図１】
2008182480.tif 000003
【図２】
2008182480.tif 000004
【図３】
2008182480.tif 000005
【図４】
2008182480.tif 000006
【図５】
2008182480.tif 000007
【図６】
2008182480.tif 000008
【図７】
2008182480.tif 000009
【図８】
2008182480.tif 000010
【図９】
2008182480.tif 000011
【図１０】
2008182480.tif 000012
【図１１】
2008182480.tif 000013
【図１２】
2008182480.tif 000014
【図１３】
2008182480.tif 000015
【図１４】
2008182480.tif 000016
【図１５】
2008182480.tif 000017